(57)【特許請求の範囲】
【請求項１】
交換機側から送られる発呼側装置情報を受信する発呼側情報受信手段を備えた通信装置において、
前記発呼側情報受信手段による発呼側装置情報の受信を伴った着信に関する履歴情報を記憶する第１履歴記憶手段と、
前記発呼側装置情報を受信しない着信に関する履歴情報を記憶する第２履歴記憶手段と、
前記第１履歴記憶手段により記憶された履歴情報と前記第２履歴記憶手段により記憶された履歴情報とを包括して出力する履歴出力手段と、
前記履歴出力手段により出力される履歴情報群を保存する保存手段と、
前記保存手段に保存されている履歴情報の数が所定数を超えたことを条件として、当該保存されている履歴情報のうち、発呼側装置情報として電話番号またはファクシミリ番号を含まない履歴情報があるか否かを判断する判断手段と、
前記判断手段により発呼側装置情報として電話番号またはファクシミリ番号を含まない履歴情報があると判断された場合、当該履歴情報を、前記発呼側装置情報として電話番号またはファクシミリ番号を含む履歴情報よりも優先して削除する削除手段とを備えることを特徴とする通信装置。
【請求項２】
前記第２履歴記憶手段は、前記発呼側装置情報を受信せず回線閉結が行われた着信に関する履歴情報を記憶することを特徴とする請求項１記載の通信装置。
【請求項３】
着信開始からの呼出信号受信数が所定数を超えた後、回線を自動的に閉結する回線閉結手段を備え、
前記第２履歴記憶手段は、発呼側装置情報を受信せずに前記回線閉結手段による回線閉結が行われたことを条件として、その着信に関する履歴情報を記憶することを特徴とする請求項２記載の通信装置。
【請求項４】
前記回線閉結手段により回線を自動的に閉結して予め記憶されたメッセージを送出する留守モードが設定されているかを判断するモード判断手段を備え、
前記第２履歴記憶手段は、前記モード判断手段により留守モードが設定されていると判断され、且つ発呼側装置情報を受信せずに前記回線閉結手段による回線閉結が行われたことを条件としてその着信に関する履歴情報を記憶することを特徴とする請求項３記載の通信装置。
【請求項５】
前記履歴出力手段は、前記第１履歴記憶手段により記憶された履歴情報と、第２履歴記憶手段により記憶された履歴情報とを包括する履歴情報群を、着信を受けた日時の順序に並べて表示することを特徴とする請求項１から４のいずれかに記載の通信装置。
【請求項６】
前記削除手段は、発呼側装置情報として電話番号またはファクシミリ番号を含まない履歴情報のうち、着信を受けた日時が最も古い履歴情報を削除するものであることを特徴とする請求項１から５のいずれかに記載の通信装置。
【請求項７】
前記第２履歴記憶手段により記憶される履歴情報を、前記保存手段に保存するか否かを設定する記憶設定手段を備えることを特徴とする請求項１から６のいずれかに記載の通信装置。
【請求項８】
前記第２歴記憶手段により記憶される履歴情報を、前記履歴出力手段により出力するか否かを設定する出力設定手段を備えることを特徴とする請求項１から７のいずれかに記載の通信装置。
【発明の詳細な説明】
【技術分野】
【０００１】
本発明は通信装置に関するものである。
【背景技術】
【０００２】
従来より、発信電話番号表示サービス（「ナンバーディスプレイ」、「Caller ID」）が実用化されている。このサービスは、被呼側装置が当該サービスに加入している場合に、交換機から発呼側装置（発信者）の電話番号を被呼側装置へ送信するサービスである。このサービスにより受信した発呼側装置の電話番号は、メモリに保存され、ユーザが着信に応答したか否かによらず、着信の履歴が保存される。
【０００３】
一方で、迷惑電話が頻繁にかかってくると、不要な着信履歴までメモリに残り、必要な着信履歴が上書きされてしまうので、着信鳴動回数などから迷惑電話を判断し、迷惑電話については、着信を保存しないようにするアイデアも開示されている（例えば、特許文献１参照）。
【特許文献１】特開２００３−２８３６４１号公報
【発明の開示】
【発明が解決しようとする課題】
【０００４】
しかしながら、発信電話番号表示サービスから受信した発呼側装置の電話番号を利用して着信履歴を作成し、保存する構成では、発信電話番号表示サービスに加入していない場合、或いは加入しているが、回線状況が悪く、発呼側装置の電話番号を受信できなかった場合、着信履歴を残すことができないという問題点があった。例えば、留守モードに設定して外出した場合において、上述のような理由から発呼側装置の電話番号を受信できないと、相手がメッセージを残しておかない限り、着信履歴は残らないので、留守中に着信があったことを知ることができない。
【０００５】
本発明は、上記問題点を解決するためになされたものであり、発呼側装置情報受信の有無に拘わらず、着信に関する履歴情報をユーザに知らせることができると共に、ユーザが着信の有無を容易に確認することができる通信装置を提供することを目的としている。
【課題を解決するための手段】
【０００６】
この目的を達成するために、請求項１記載の通信装置は、交換機側から送られる発呼側装置情報を受信する発呼側情報受信手段を備えたものであって、前記発呼側情報受信手段による発呼側装置情報の受信を伴った着信に関する履歴情報を記憶する第１履歴記憶手段と、前記発呼側装置情報を受信しない着信に関する履歴情報を記憶する第２履歴記憶手段と、前記第１履歴記憶手段により記憶された履歴情報と前記第２履歴記憶手段により記憶された履歴情報とを包括して出力する履歴出力手段と、前記履歴出力手段により出力される履歴情報群を保存する保存手段と、前記保存手段に保存されている履歴情報の数が所定数を超えたことを条件として、当該保存されている履歴情報のうち、発呼側装置情報として電話番号またはファクシミリ番号を含まない履歴情報があるか否かを判断する判断手段と、前記判断手段により発呼側装置情報として電話番号またはファクシミリ番号を含まない履歴情報があると判断された場合、当該履歴情報を、前記発呼側装置情報として電話番号またはファクシミリ番号を含む履歴情報よりも優先して削除する削除手段とを備えることを特徴とする。
【０００７】
ここで、「包括して出力」するとは、第１履歴記憶手段に記憶される履歴情報と、第２履歴記憶手段に記憶される履歴情報とを包含する履歴情報群を出力することを意味している。
【０００８】
請求項２記載の通信装置は、請求項１記載の通信装置において、前記第２履歴記憶手段は、前記発呼側装置情報を受信せず回線閉結が行われた着信に関する履歴情報を記憶することを特徴とする。
【０００９】
請求項３記載の通信装置は、請求項２記載の通信装置において、着信開始からの呼出信号受信数が所定数を超えた後、回線を自動的に閉結する回線閉結手段を備え、前記第２履歴記憶手段は、発呼側装置情報を受信せずに前記回線閉結手段による回線閉結が行われたことを条件として、その着信に関する履歴情報を記憶することを特徴とする。
【００１０】
ここで、「回線を自動的に閉結」するとは、ユーザによる受話器を上げるという操作（すなわちオフフック）を伴わずに回線を閉結することを意味している。
【００１１】
請求項４記載の通信装置は、請求項３記載の通信装置において、前記回線閉結手段により回線を自動的に閉結して予め記憶されたメッセージを送出する留守モードが設定されているかを判断するモード判断手段を備え、前記第２履歴記憶手段は、前記モード判断手段により留守モードが設定されていると判断され、且つ発呼側装置情報を受信せずに前記回線閉結手段による回線閉結が行われたことを条件としてその着信に関する履歴情報を記憶することを特徴とする。
【００１２】
請求項５記載の通信装置は、請求項１から４のいずれかに記載の通信装置において、前記履歴出力手段は、前記第１履歴記憶手段により記憶された履歴情報と、第２履歴記憶手段により記憶された履歴情報とを包括する履歴情報群を、着信を受けた日時の順序に並べて表示することを特徴とする。
【００１３】
【００１４】
請求項６記載の通信装置は、請求項１から５のいずれかに記載の通信装置において、前記削除手段は、発呼側装置情報として電話番号またはファクシミリ番号を含まない履歴情報のうち、着信を受けた日時が最も古い履歴情報を削除するものであることを特徴とする。
【００１５】
請求項７記載の通信装置は、請求項１から６のいずれかに記載の通信装置において、前記第２履歴記憶手段により記憶される履歴情報を、前記保存手段に保存するか否かを設定する記憶設定手段を備えることを特徴とする。
【００１６】
請求項８記載の通信装置は、請求項１から７のいずれかに記載の通信装置において、前記第２歴記憶手段により記憶される履歴情報を、前記履歴出力手段により出力するか否かを設定する出力設定手段を備えることを特徴とする。
【発明の効果】
【００１７】
請求項１記載の通信装置によれば、第１履歴記憶手段により記憶される、発呼側装置情報の受信を伴った着信に関する履歴情報と、第２履歴記憶手段により記憶される、発呼側装置情報を受信しない着信に関する履歴情報とが、履歴出力手段により包括して出力されるので、発呼側装置情報受信の有無に拘わらず、着信に関する履歴情報をユーザに知らせることができると共に、ユーザが着信の有無を容易に確認することができるという効果がある。また、保存手段に保存される履歴情報の数が所定数を超えると、保存される履歴情報のうち、発呼側装置情報として電話番号またはファクシミリ番号を含まない履歴情報が削除されるので、有用性の低い履歴情報が優先的に削除されて、メモリを有効利用することができるという効果がある。
【００１８】
請求項２記載の通信装置によれば、請求項１記載の通信装置の奏する効果に加え、第２履歴記憶手段は、発呼側装置情報を受信せず回線閉結が行われた着信に関する履歴情報を記憶するので、ユーザにとってより重要性が高い着信に関する履歴情報を、知らせることができるという効果がある。
【００１９】
請求項３記載の通信装置によれば、請求項２記載の通信装置の奏する効果に加え、第２履歴記憶手段は、発呼側装置情報を受信せずに回線閉結手段により自動的に回線閉結が行われたことを条件として、その着信に関する履歴情報を記憶するので、ユーザ操作とは無関係に自動的に回線閉結された着信があった場合、その着信に関する履歴情報をユーザに知らせることができるという効果がある。
【００２０】
請求項４記載の通信装置によれば、請求項３記載の通信装置の奏する効果に加え、第２履歴記憶手段は、モード判断手段により留守モードが設定されていると判断され、且つ発呼側装置情報を受信せずに回線閉結手段により自動的に回線閉結が行われたことを条件としてその着信に関する履歴情報を記憶するので、留守モード設定中に自動的に回線閉結が行われたが、相手がメッセージなどを残さなかった場合でも、ユーザは着信があったことを知ることができるという効果がある。
【００２１】
請求項５記載の通信装置によれば、請求項１から４のいずれかに記載の通信装置の奏する効果に加え、履歴出力手段は、第１履歴記憶手段により記憶された履歴情報と、第２履歴記憶手段により記憶された履歴情報とを包括する履歴情報群を、着信を受けた日時の順序に並べて表示するので、履歴情報が多数あってもユーザは全体を容易に把握することができると共に、目的とする履歴情報を探しやすいという効果がある。
【００２２】
【００２３】
請求項６記載の通信装置によれば、請求項１から５のいずれかに記載の通信装置の奏する効果に加え、削除手段は、発呼側装置情報として電話番号またはファクシミリ番号を含まない履歴情報のうち、着信を受けた日時が最も古い履歴情報を削除するので、より有用性の低い履歴情報が優先的に削除されて、メモリを有効利用することができるという効果がある。
【００２４】
請求項７記載の通信装置によれば、請求項１から６のいずれかに記載の通信装置の奏する効果に加え、第２履歴記憶手段により記憶される履歴情報を、前記保存手段に保存するか否かを設定する記憶設定手段を備えるので、発呼側装置情報を含まない履歴情報を保存するか否かを、ユーザの好みに応じて選択させることができるという効果がある。
【００２５】
請求項８記載の通信装置によれば、請求項１から７のいずれかに記載の通信装置の奏する効果に加え、第２歴記憶手段により記憶される履歴情報を、履歴出力手段により出力するか否かを設定する出力設定手段を備えるので、発呼側装置情報を含まない履歴情報を出力するか否かを、ユーザの好みに応じて選択させることができるという効果がある。
【発明を実施するための最良の形態】
【００２６】
以下、本発明の好ましい実施形態について、添付図面を参照して説明する。図１は、本発明の一実施形態であるファクシミリ装置１の外観斜視図である。ファクシミリ装置１は、発呼側装置情報受信の有無に拘わらず、着信に関する履歴情報をユーザに知らせることができるものである。
【００２７】
ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称する。本体２の上面前部には複数のボタンを備えた操作パネル４が設けられ、その操作パネル４中央部には液晶表示器（ＬＣＤ）５が設けられている。ファクシミリ装置１は、この操作パネル４上に設けられたボタンが押下されることにより操作され、その操作された状態や操作手順などはＬＣＤ５に表示される。
【００２８】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印字に使用された記録紙は、原稿排出口７の下方に設けられた記録紙排出口８から排出される。
【００２９】
図２は、ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、ＬＣＤ５，音声ＬＳＩ１７、ネットワーク・コントロール・ユニット（以下、「ＮＣＵ」と称する）１９、モデム２０、バッファ２１、スキャナ２２、符号化部２３、復号化部２４、プリンタ２５、操作パネル４、アンプ２７が備えられ、これらはバスライン３０を介して接続されている。
【００３０】
ＣＰＵ１１は、ＮＣＵ１９を介して送受信される各種信号に従って、バスライン３０により接続された各部を制御してファクシミリ動作や電話動作、即ち、データ通信を実行するものである。ＲＯＭ１２は、このファクシミリ装置１で実行される制御プログラムなどを格納した書換不能なメモリであり、図４および図５のフローチャートに示すプログラムはこのＲＯＭ１２内に格納されている。
【００３１】
ＥＥＰＲＯＭ１３は書換可能な不揮発性のメモリであり、着信履歴メモリ１３１と、電話帳メモリ１３２と、記憶設定フラグ１３３と、表示設定フラグ１３４と、留守モード設定フラグ１３５と、着信回数設定メモリ１３６とを備えている。この着信履歴メモリ１３１は、着信があった場合、その着信に関する履歴情報を記憶するメモリである。
【００３２】
図３は、着信履歴メモリ１３１に保存された履歴情報を出力する着信履歴画面５１の一例を示す図である。図３に示すように、着信履歴画面５１は、管理番号を表示する管理番号表示エリア５１０と、着信日を表示する着信日エリア５１１と、着信時刻を表示する着信時エリア５１２と、ナンバーディスプレイエリア５１３と、発呼側装置に対応する登録名称を記憶する相手先名称エリア５１４と、コメントエリア５１５とが設けられる。この着信履歴画面５１に表示される１行分の情報が、１回の着信に関しての履歴情報に相当する。ユーザが所定の履歴表示指示を操作パネル４から入力すると、着信履歴メモリ１３１（図２参照）に保存された履歴情報が読み出され、着信履歴画面５１により出力される。
【００３３】
ナンバーディスプレイエリア５１３は、発呼側装置情報を表示するエリアである。本実施形態において、「発呼側装置情報」とは、いわゆる発信電話番号表示サービスにより、交換機から被呼側装置であるファクシミリ装置１へ送信される、発呼側装置（発信者）を特定するための情報を意味している。この発呼側装置情報は、ファクシミリ装置１が上記サービスに加入していない場合、或いは、回線状況が悪い場合、受信できない。
【００３４】
よって、発呼側装置情報を受信した着信に関しては、その受信した発呼側装置情報を含む履歴情報が着信履歴メモリ１３１に保存される一方で、発呼側情報を受信しない着信に関しては、発呼側装置情報を含まない履歴情報が着信履歴メモリ１３１に保存される。
【００３５】
その結果、着信履歴画面５１においても、発呼側装置情報を含まない履歴情報は、ナンバーディスプレイエリア５１３を空欄として表示される（例えば、図３に示す管理番号「０６」の履歴情報を参照）。
【００３６】
なお、発呼側情報としては、例えば、発呼側装置の電話番号またはファクシミリ番号、あるいは、発呼側装置が非通知設定をしていることを示す「非通知」、発呼側装置が海外にあることを示す「表示圏外」、発呼側装置が公衆電話であることを示す「公衆電話」などを挙げることができる。
【００３７】
着信履歴画面５１には、発呼側装置情報を含む履歴情報と、発呼側装置情報を含まない履歴情報とが包括して出力されるので、発呼側装置情報受信の有無に拘わらず、着信に関する履歴情報をユーザに知らせることができると共に、ユーザが着信の有無を容易に確認することができる。発呼側装置情報を含まない履歴情報であっても、着信があったことさえ分かれば、状況によっては発呼者を推測できるので、ユーザにとって有用な情報である。
【００３８】
また、着信履歴画面５１には、発呼側装置情報を含む履歴情報と、発呼側装置情報を含まない履歴情報とを包括する履歴情報群が、着信を受けた日時の順序に並べて表示される。よって、履歴情報が多数あってもユーザは全体を容易に把握することができると共に、目的とする履歴情報を探しやすい。
【００３９】
相手先名称エリア５１４は、受信した発呼側装置の電話番号またはファクシミリ番号が、電話帳メモリ１３２に登録されている番号と一致する場合、その番号に対応づけて電話帳メモリ１３２に登録されている名称を表示するエリアである。このようにすれば、単に電話番号またはファクシミリ番号のみが表示される場合に比較して、相手先を特定しやすい。
【００４０】
コメントエリア５１５は、着信の種類を示す情報が表示されるエリアである。例えば、コメントエリア５１５に表示される情報「受」は、ファクシミリ受信に関する着信であったことを示し、情報「送」は、ファクシミリ送信に関する着信であったことを示し、情報「ＴＥＬ」は通話が行われた着信であったことを示し、情報「メッセージ録音」は留守モード設定中に相手先がメッセージを残した着信であったことを示している。このコメントエリア５１５に表示された情報により、ユーザは、各着信の内容および相手を容易に思い出すことができる。
【００４１】
図２に戻り説明する。電話帳メモリ１３２は、発呼側装置の電話番号またはファクシミリ番号と、その発呼側装置の名称とが対応付けて登録されるメモリである。
【００４２】
記憶設定フラグ１３３は、発呼側装置情報を受信しない着信に関する履歴情報を、着信履歴メモリ１３１に保存するか否かが設定されるフラグである。記憶設定フラグ１３３に「１」が設定される場合、発呼側装置情報を受信した着信および受信しなかった着信の両方について、履歴情報が保存される。一方、記憶設定フラグ１３３に「０」が設定される場合、発呼側装置情報の受信を伴った着信に関する履歴情報のみが、着信履歴メモリ１３１に保存される。記憶設定フラグ１３３の値は、ユーザの設定操作に応じて書き換えられる。よって、発呼側装置情報を含まない履歴情報を着信履歴メモリ１３１に保存するか否かを、ユーザの好みに応じて選択させることができる。
【００４３】
表示設定フラグ１３４は、発呼側装置を受信しない着信の履歴情報を、着信履歴画面５１に表示するか否かが設定されるフラグである。表示設定フラグ１３４に「１」が設定される場合、発呼側装置情報を受信した着信および受信しなかった着信の両方の履歴情報が、着信履歴画面５１に表示される。一方、用事設定フラグ１３４に「０」が設定される場合、着信履歴メモリ１３１から読み出される履歴情報のうち、発呼側装置情報を含む履歴情報のみが、着信履歴画面５１に表示される。表示設定フラグ１３４の値は、ユーザの設定操作に応じて書き換えられる。よって、発呼側装置情報を含まない履歴情報を表示するか否かを、ユーザの好みに応じて選択させることができる。
【００４４】
留守モード設定フラグ１３５は、着信があったときに回線を自動的に閉結して予め記憶されたメッセージを送出する留守モードを設定中であるか否かを記憶するフラグである。留守モード設定中は「１」が記憶され、留守モードが設定されていないとき、すなわち在宅モード設定中は「０」が記憶される。
【００４５】
着信回数設定メモリ１３６は、回線を自動的に閉結するまでにカウントする呼出信号の数を記憶するメモリである。換言すれば、着信開始からの呼出信号受信数が、この着信回数設定メモリ１３６に記憶されている値を超えると、回線が自動的に閉結される。なお、この着信回数設定メモリ１３６に記憶されている値が「０」である場合は、着信回数無制限とする。すなわち、呼出信号受信数に拘わらず、回線の自動閉結は行わない。
【００４６】
ユーザが、所定の設定操作を行うと、留守モード設定フラグ１３５、着信回数設定メモリ１３６に、ユーザ設定に応じた値が記憶される。
【００４７】
ＲＡＭ１４は、ファクシミリ装置１の各動作の実行時に各種のデータを一時的に記憶するためのメモリであり、発信者番号メモリ１４１を備えている。この発信者番号メモリ１４１は、着呼（呼び出し信号の着信）の際に、交換機２９から送信される発呼側装置情報を一時的に記憶するためのメモリである。よって、着呼があっても、交換機２９から発信者の電話番号が送信されない場合には、発信者番号メモリ１４１の内容は０クリアされる。従って、発信者番号メモリ１４１の内容が「０」でなければ、発呼側装置情報を受信した着信であると判断でき、一方、発信者番号メモリ１４１の内容が「０」であれば、発呼側装置情報を受信しない着信であると判断することができる。
【００４８】
画像メモリ１５は、通信履歴、画像データ及び印刷のためのビットイメージを記憶するためのメモリであり、安価な大容量メモリであるダイナミックＲＡＭ（ＤＲＡＭ）により構成されている。音声メモリ１６は、発呼側装置へ送出される応答メッセージや、発呼側装置から送られてきた入来メッセージを記憶するメモリである。画像メモリ１５と同様に、安価な大容量メモリであるダイナミックＲＡＭ（ＤＲＡＭ）により構成されている。
【００４９】
音声ＬＳＩ１７は、ＮＣＵ１９によって受信されたアナログ音声信号をデジタル音声信号に変換すると共に、このファクシミリ装置１の内部で生成されたデジタル音声信号をアナログ音声信号に変換して、ＮＣＵ１９やスピーカ２８（アンプ２７）へ出力するためのものである。
【００５０】
モデム２０は、画情報を変調および復調して伝送すると共に伝送制御用の各種手順信号を送受信するためのものであり、バッファ２１は、相手側ファクシミリ装置との間で送受信される符号化された画情報を含むデータを一時的に格納するためのものである。スキャナ２２は、原稿挿入口６に挿入された原稿から画像を読み取るためのものであり、符号化部２３は、スキャナ２２により読み取られた画像の符号化を行うものである。復号化部２４は、バッファ２１又は画像メモリ１５に記憶された受信画像データを読み出して、これを復号化するものであり、復号化されたデータは、プリンタ２５により記録紙に印刷される。アンプ２７は、そのアンプ２７に接続されたスピーカ２８を鳴動して、呼び出し音や音声を出力するためのものである。
【００５１】
このように構成されたファクシミリ装置１は、ＮＣＵ１９を介して、電話回線３１に接続されている。この電話回線３１は、本ファクシミリ装置１と交換機２９に接続され、この交換機２９は電話回線３２を介して、他の交換機に接続されている。なお、他の交換機は、更に、電話回線を介して発呼側装置に接続されている。
【００５２】
次に、図４のフローチャートに基づいて、上記のように構成されたファクシミリ装置１における処理を説明する。図４は、着信処理を示すフローチャートである。この着信処理は、交換機２９からの呼出信号を受信すると開始される処理である。なお、記憶設定フラグ１３３（図２参照）には、発呼側装置情報を受信した着信および発呼側装置情報を受信しない着信の両方について履歴情報を着信履歴メモリ１３１（図２参照）に保存する「１」が設定されているものとして説明する。
【００５３】
まず、呼出信号があると、電話回線を開放したままの状態で、交換機２９から送信される発呼側装置情報を受信できたか否かを判断する（Ｓ２）。本ファクシミリ装置１が発信電話番号表示サービスに加入している場合には、回線を閉結する前に、発信者番号が交換機２９から送信され、これを受信することができる。
【００５４】
発呼側装置情報を受信すると（Ｓ２：Ｙｅｓ）、その受信した発信者番号をＲＡＭ１４の発信者番号メモリ１４１へ書き込み（Ｓ３）、その着信に関する履歴情報を着信履歴メモリ１３１に記憶する着信履歴保存処理を実行する（Ｓ４）。そして、電話処理が行われ（Ｓ６）、処理を終了する。なお、ここでいう電話処理（Ｓ６）とは、後述する留守応答処理（Ｓ１６）、在宅応答処理（Ｓ２６）および通話処理（Ｓ３６）を含む処理である。すなわち、留守モード設定中であれば予め記憶されたメッセージを送出する留守応答処理（Ｓ１６）がこの電話処理（Ｓ６）において実行され、在宅モード設定中であってオフフックされなければ、「しばらくお待ち下さい」などのメッセージを相手先へ送出する一方で、ファクシミリ装置１においてはスピーカ２８から疑似ベルを鳴動する在宅応答処理（Ｓ２６）がこの電話処理（Ｓ６）において実行され、受話器３がオフフックされると回線を閉結し通話を行わせる通話処理（Ｓ３６）がこの電話処理（Ｓ６）において実行される。なお、発呼側装置からファクシミリデータが送信される場合には、この電話処理（Ｓ６）においてファクシミリ受信が行われる。
【００５５】
一方、本ファクシミリ装置１が発信電話番号表示サービスに加入していない場合、または加入していても発呼側装置情報を受信することができなかった場合（Ｓ２：Ｎｏ）、発信者番号メモリ１４１の内容を０クリアして（Ｓ７）、発呼側装置情報を受信しなかったことを記憶する。
【００５６】
次に、モードを判断する（Ｓ８）。留守モード設定フラグ１３５に「１」が記憶されている場合、留守モード設定中と判断し（Ｓ８：留守モード）、ベルカウント（すなわち着信開始からの呼出信号受信数）が、予め定められた所定値を超えたか否かを判断する（Ｓ１０）。
【００５７】
Ｓ１０の判断が否定される間（Ｓ１０：Ｎｏ）、処理を待機するが、Ｓ１０の判断が肯定されると（Ｓ１０：Ｙｅｓ）、次に回線を閉結する（Ｓ１２）。この回線の閉結は、ユーザのオフフックを伴わない自動的な閉結である。
【００５８】
次に、この着信に関する履歴情報を着信履歴メモリ１３１（図２参照）に記憶する着信履歴保存処理を実行する（Ｓ１４）。すなわち、留守モードが設定されていると判断され、且つ発呼側装置情報を受信せずに回線閉結が自動的に行われたことを条件として、その着信の履歴情報が記憶される。
【００５９】
その後、予め記憶されたメッセージを送出する留守応答処理を実行し（Ｓ１６）、処理を終了する。この留守応答処理において、相手先からのメッセージが有る場合は、そのメッセージが録音される。
【００６０】
一方、留守モード設定フラグ１３５に「０」が記憶されている場合、すなわち在宅モード設定中の場合（Ｓ８：在宅モード）、次に、着信回数が無制限か否か、すなわち着信回数設定メモリ１３６に「０」が設定されているか否かを判断する（Ｓ１８）。
【００６１】
Ｓ１８の判断が否定される場合（Ｓ１８：Ｎｏ）、次に、ベルカウント（すなわち着信開始からの呼出信号受信数）が、着信回数設定メモリ１３６に記憶された値を超えたか否かを判断する（Ｓ２０）。
【００６２】
Ｓ２０の判断が否定される間（Ｓ２０：Ｎｏ）、処理を待機するが、Ｓ２０の判断が肯定されると（Ｓ２０：Ｙｅｓ）、次に回線を閉結する（Ｓ２２）。この回線の閉結は、ユーザのオフフックを伴わない自動的な閉結である。次に、この着信に関する履歴情報を記憶する着信履歴保存処理を実行する（Ｓ２４）。すなわち、発呼側装置情報を受信せずに回線閉結が自動的に行われたことを条件として、その着信の履歴情報が記憶される。
【００６３】
次に、「しばらくお待ち下さい」などのメッセージを相手先へ送出する一方で、ファクシミリ装置１においてはスピーカ２８から疑似ベルを鳴動する在宅応答処理を実行し（Ｓ２６）、処理を終了する。なお、発呼側装置からファクシミリデータが送信される場合には、この在宅応答処理（Ｓ２６）においてファクシミリ受信が行われる。
【００６４】
着信回数が無制限である場合、すなわち着信回数設定メモリ１３６に「０」が設定されている場合（Ｓ１８：Ｙｅｓ）、次に、ベルカウント（すなわち着信開始からの呼出信号受信数）が、ＥＥＰＲＯＭ１３（図２参照）に予め記憶された設定回数（例えば３回）を超えたか否かを判断する（Ｓ２８）。なお、この設定回数はユーザによって設定されている値である。
【００６５】
Ｓ２８の判断が否定される間（Ｓ２８：Ｎｏ）、処理を待機する。一方、Ｓ２８の判断が肯定されると（Ｓ２８：Ｙｅｓ）、次に、この着信に関する履歴情報を着信履歴メモリ１３１（図２参照）に記憶する着信履歴保存処理を実行する（Ｓ３０）。すなわち、発呼側装置情報を受信せず、且つ受信した呼出信号の数が所定数を超えたことを条件として、その着信の履歴情報が記憶される。
【００６６】
次に、オフフックされたか否かを判断する（Ｓ３４）。Ｓ３４の判断が否定される場合（Ｓ３４：Ｎｏ）、処理を待機する。一方、Ｓ３４の判断が肯定されると（Ｓ３４：Ｙｅｓ）、回線を閉結し通話を行わせる通話処理を実行し（Ｓ３６）、この着信処理を終了する。
【００６７】
なお、図示および詳細な説明は省略するが、この着信処理の途中で、発呼側装置により回線が切断されると、この着信処理は終了する。また、この着信処理の途中でオフフックがされると、回線を閉結し通話を行わせる通話処理を実行し、この着信処理を終了する。また、記憶設定フラグ１３３（図２参照）に、発呼側装置情報を受信した着信のみについて履歴情報を着信履歴メモリ１３１（図２参照）に保存する「０」が設定されている場合、上述したＳ１４，Ｓ２４，Ｓ３０の処理はスキップされる。
【００６８】
図５を参照して、着信履歴保存処理（Ｓ４，Ｓ１４，Ｓ２４，Ｓ３０）について説明する。図５は、着信履歴保存処理を示すフローチャートである。
【００６９】
まず、着信履歴メモリ１３１に保存された履歴情報数が、記憶可能な最大件数（本実施形態では３０件）を超えているか否かを判断する（Ｓ８２）。Ｓ８２の判断が否定される場合（Ｓ８２：Ｎｏ）、Ｓ９７に移行する。
【００７０】
一方、Ｓ８２の判断が肯定される場合（Ｓ８２：Ｙｅｓ）、履歴ライトポインタの値を、検索ライトポインタの値とする（Ｓ８４）。
【００７１】
図６を参照して、履歴ライトポインタ１３１１と検索ライトポインタ１３１２とについて説明する。図６は、着信履歴メモリ１３１、履歴ライトポインタ１３１１、および検索ライトポインタ１３１２を模式的に示す説明図である。着信履歴メモリ１３１において、１のアドレスで特定される領域には、１回の着信についての履歴情報が記憶される。
【００７２】
履歴ライトポインタ１３１１は、着信日時が最古の履歴情報を保存するアドレスを示すポインタである。図６に示すように、着信履歴情報メモリ１３１は、履歴ライトポインタ１３１１で示されるアドレスから、アドレスの値が大になるに従ってより新しい履歴情報が格納されている。また、着信履歴メモリ１３１の末尾アドレスまで履歴情報が格納されると、その次に新しい履歴情報は、着信履歴メモリ１３１の先頭アドレスに格納され、その先頭アドレスから順に着信日時の順に格納される。
【００７３】
検索ポインタ１３１２は、検索処理対象の履歴情報を示すポインタである。図５を参照して説明したＳ８４の処理において、履歴ライトポインタ１３１１の値を、検索ポインタ１３１２の値として設定することにより、着信日時が最も古い履歴情報が、最初の検索処理対象とされる。
【００７４】
図５に戻り説明する。次に、検索件数をセットする（Ｓ９０）。ここでは、検索件数として、着信履歴メモリ１３１の記憶可能最大件数である「３０」がセットされるものとして説明する。
【００７５】
次に、セットした検索件数分のチェックが終了したか否かを判断する（Ｓ９１）。最初はこの判断が否定されるので（Ｓ９１：Ｎｏ）、次に、検索ポインタ１３１２で示される履歴情報が有用データか否かを判断する（Ｓ９２）。具体的には、その履歴情報が、発呼側装置情報として電話番号またはファクシミリ番号を含むか否かを判断する（Ｓ９２）。なお、本実施形態では、電話番号またはファクシミリ番号が含まれていない場合、発呼側装置情報として、例えば、「非通知」、「表示圏外」、「公衆電話」などの情報を含んでいても、有用データではないと判断することとしている。
【００７６】
Ｓ９２の判断が肯定される場合（Ｓ９２：Ｙｅｓ）、すなわち、その履歴情報に電話番号またはファクシミリ番号が含まれる場合、検索ポインタ１３１２の値に「１」を加算して更新し（Ｓ９４）、Ｓ９１の処理に戻り、処理を繰り返す。
【００７７】
一方、Ｓ９２の判断が否定されると（Ｓ９２：Ｎｏ）、すなわち、発呼側装置情報として電話番号またはファクシミリ番号を含まない履歴情報が見付かると、履歴情報を１件分シフトする（Ｓ９６）。
【００７８】
図６を参照して、履歴情報をシフトする処理ついて説明する。ここでは、アドレス「１７」に保存された履歴情報が、有用データではないと判断されたものとして説明する。
【００７９】
このシフト処理では、履歴ライトポインタ１３１１で示されるアドレス（図６では「１５」）から検索ポインタ１３１２で示されるアドレス「１７」よりも１つ先頭側のアドレス（図６では「１６」）までに保存された履歴情報を、１件分ずつ末尾側へシフトする。
【００８０】
このようにすれば、検索ポインタ１３１２で示されるアドレスに保存されていた履歴情報は削除されると共に、履歴ライトポインタ１３１１で示されるアドレスが空となる。
【００８１】
図５に戻り説明する。このようにして処理を繰り返し、検索件数分のチェックが終了した場合（Ｓ９１：Ｙｅｓ）、すなわち、記憶されている全ての履歴情報が有用データであった場合は、Ｓ９５へ移行し、履歴ライトポインタ１３１１で示されるアドレスに格納された着信履歴、すなわち着信日時が最も古い履歴情報を削除する。
【００８２】
Ｓ８２の判断が否定された場合（Ｓ８２：Ｎｏ）、Ｓ９５またはＳ９６の処理が実行されると、すなわち、着信履歴メモリ１３１に少なくとも１件分の空きがある状態で、次に、発呼側装置情報があるか否かを判断する（Ｓ９７）。発呼側装置情報がない場合、すなわち発信者番号メモリ１４１に「０」が記憶される場合（Ｓ９７：Ｎｏ）、発呼側装置情報を含まない履歴情報を、着信履歴メモリ１３１の履歴ライトポインタ１３１１で示されるアドレスに保存する（Ｓ９８）。ここで記憶される履歴情報は、少なくとも、着信日、着信時刻、着信の種類（コメントエリア５１５（図３参照）に表示される、ファクシミリ受信であるか、通話を行ったか、メッセージを録音したかを示す情報）を含むものである。
【００８３】
一方、発呼側装置情報がある場合、すなわち発信者番号メモリ１４１に「０」以外の値が記憶されている場合（Ｓ９７：Ｙｅｓ）、履歴情報を、着信履歴メモリ１３１の履歴ライトポインタ１３１１で示されるアドレスに保存する（Ｓ１００）。ここで保存される履歴情報は、少なくとも、着信日、着信時刻、着信の種類、発呼側装置情報、およびその発呼側装置情報に対応する名称が電話帳メモリ１３２（図２参照）に登録されている場合には、その登録名称とを含むものである。
【００８４】
次に、履歴ライトポインタ１３１１の値に「１」を加算して更新し（Ｓ１０２）、着信履歴保存処理を終了する。
【００８５】
着信履歴保存処理によれば、着信履歴メモリ１３１に保存される履歴情報の数が所定数を超えると、保存される履歴情報のうち、発呼側装置情報として電話番号またはファクシミリ番号を含まない履歴情報であって、着信を受けた日時が最も古い履歴情報が削除されるので、有用性の低い履歴情報が優先的に削除されて、メモリを有効利用することができる。
【００８６】
以上、実施形態に基づき本発明を説明したが、本発明は上述した実施例に何ら限定されるものではなく、本発明の趣旨を逸脱しない範囲内で種々の改良変更が可能であることは容易に推察できるものである。
【００８７】
例えば、本実施例では、履歴情報として、少なくとも、着信日、着信時刻、着信の種類を含むものであり、また受信した場合には発呼側装置情報、その発呼側装置情報の名称などを含むものであったが、履歴情報に含まれる情報をこれに限定する意図ではなく、これらの一部のみを履歴情報に含むものであっても良いし、または他の情報を履歴情報に含むものであっても良い。
【００８８】
また、上述した実施形態では、履歴情報として、発呼側装置情報を含まない履歴情報を保存するか否か、または表示するか否かをユーザに選択させるための記憶設定フラグ１３３、表示設定フラグ１３４が設けられていた。これに代えて、発呼側装置の電話番号またはファクシミリ番号を含まない履歴情報を保存するか否か、または表示するか否かを設定可能なように構成しても良い。
【００８９】
また、上述した実施形態では、着信履歴メモリ１３１（図２参照）に記憶された履歴件数が記憶可能な最大件数（本実施形態では３０件）を超えている場合、少なくとも１の履歴情報を削除してから新たな履歴情報を保存していたが、１の履歴情報を新たな履歴情報で上書きするように構成されていても良い。
【図面の簡単な説明】
【００９０】
【図１】本発明の一実施形態であるファクシミリ装置の外観斜視図である。
【図２】ファクシミリ装置の電気的構成を示したブロック図である。
【図３】ＬＣＤに表示される着信履歴画面の一例を示す図である。
【図４】着信処理を示すフローチャートである。
【図５】着信履歴保存処理を示すフローチャートである。
【図６】着信履歴メモリ、履歴ライトポインタ、および検索ライトポインタを模式的に示す説明図である。
【符号の説明】
【００９１】
１                      ファクシミリ装置（通信装置の一例）
５                      ＬＣＤ（履歴出力手段の一例）
１３１                  着信履歴メモリ（保存手段の一例）
１３３                  記憶設定フラグ（記憶設定手段の一例）
１３４                  表示設定フラグ（出力設定手段の一例）
Ｓ２                    発呼側情報受信手段の一例
Ｓ４                    第１履歴記憶手段の一例
Ｓ８                    モード判断手段の一例
Ｓ１４，Ｓ２４，Ｓ３０  第２履歴記憶手段の一例
Ｓ１２，Ｓ２２          回線閉結手段の一例
Ｓ９６                  削除手段の一例
【図１】
0004483924.tif 000002
【図２】
0004483924.tif 000003
【図３】
0004483924.tif 000004
【図４】
0004483924.tif 000005
【図６】
0004483924.tif 000006
【図５】
0004483924.tif 000007